(57)【要約】【課題】品質向上を図りしかも更なるコンパクト化を図る。【解決手段】複数の電気機器に個別に接続される複数の端子３２１を有した電気機器接続用端子台３２と、コントロ−ラ２１の各駆動出力回路２１１の出力を受けるコントロ−ラ出力入力用コネクタ３４と、前記電気機器接続用端子台を一側に前記コントロ−ラ出力入力用コネクタを他側に夫々搭載すると共に前記電気機器接続用端子台と前記コントロ−ラ出力入力用コネクタとの中間部にサ−キットプロテクタ３５を搭載し前記電気機器接続用端子台と前記コントロ−ラ出力入力用コネクタとを前記サ−キットプロテクタを介して接続するプリント基板３１とを備えた端子台ユニット３を設け、前記各駆動出力回路の出力を取り出すケ−ブル６１のコントロ−ラ出力出力用コネクタを前記端子台ユニットの前記コントロ−ラ出力入力用コネクタにプラグイン接続する電気機器駆動制御盤。【選択図】図１
2005243263.tif 000002
【特許請求の範囲】
【請求項１】
夫々対応電気機器を作動させる複数の駆動出力回路を有したコントロ−ラ、及び前記各駆動出力回路とその対応電気機器との間に接続されたサ−キットプロテクタを備えた電気機器駆動制御盤において、
前記電気機器に個別に接続される複数の端子を有した電気機器接続用端子台と、前記各駆動出力回路の出力を受けるコントロ−ラ出力入力用コネクタと、前記電気機器接続用端子台を一側に前記コントロ−ラ出力入力用コネクタを他側に夫々搭載すると共に前記電気機器接続用端子台と前記コントロ−ラ出力入力用コネクタとの中間部に前記サ−キットプロテクタを搭載し前記電気機器接続用端子台と前記コントロ−ラ出力入力用コネクタとを前記サ−キットプロテクタを介して接続するプリント基板とを備えた端子台ユニットを設け、
前記各駆動出力回路の出力を取り出すケ−ブルのコントロ−ラ出力出力用コネクタを前記端子台ユニットの前記コントロ−ラ出力入力用コネクタにプラグイン接続する
ことを特徴とする電気機器駆動制御盤。
【請求項２】
請求項１に記載の電気機器駆動制御盤において、電源が接続される電源接続用端子を有する電源用端子台を前記プリント基板に搭載し、前記電源接続用端子に接続の前記電源から前記プリント基板の配線及び前記コントロ−ラ出力入力用コネクタを介して前記コントロ−ラの前記各駆動出力回路に給電すると共に前記プリント基板の配線及び前記サ−キットプロテクタを介して前記電気機器接続用端子台の前記各端子を経由して前記各電気機器に給電することを特徴とする電気機器駆動制御盤。
【請求項３】
電気機器に個別に接続される複数の端子を有した電気機器接続用端子台、コントロ−ラの各駆動出力回路の出力を受けるコントロ−ラ出力入力用コネクタ、及び前記電気機器接続用端子台を一側に前記コントロ−ラ出力入力用コネクタを他側に夫々搭載すると共に前記電気機器接続用端子台と前記コントロ−ラ出力入力用コネクタとの中間部にサ−キットプロテクタを搭載し前記電気機器接続用端子台と前記コントロ−ラ出力入力用コネクタとを前記サ−キットプロテクタを介して接続するプリント基板を備えた端子台ユニット。
【請求項４】
請求項３に記載の端子台ユニットにおいて、電源が接続される電源接続用端子を有する電源用端子台を前記プリント基板に搭載し、前記電源接続用端子に接続の前記電源から前記プリント基板の配線及び前記コントロ−ラ出力入力用コネクタを介して前記コントロ−ラの前記各駆動出力回路に給電すると共に前記プリント基板の配線及び前記サ−キットプロテクタを介して前記電気機器接続用端子台の前記各端子を経由して各電気機器に給電することを特徴とする端子台ユニット。
【請求項５】
請求項３又は請求項４に記載の端子台ユニットにおいて、前記プリント基板の配線に接続され対応する前記サ−キットプロテクタの動作状態を表示する表示器を前記プリント基板に搭載したことを特徴とする端子台ユニット。
【請求項６】
請求項３または請求項４に記載の端子台ユニットにおいて、前記プリント基板の配線に前記サ−キットプロテクタと直列に接続されたＯＮ−ＯＦＦ切換スイッチを前記プリント基板に搭載したことを特徴とする端子台ユニット。
【請求項７】
請求項３又は請求項４に記載の端子台ユニットにおいて、前記電気機器接続用端子台が２段式端子台であり、前記プリント基板の板面と直角を成す方向の高さが、１段目の電気機器接続用端子台より２段目の電気機器接続用端子台の方が高いことを特徴とする端子台ユニット。
【請求項８】
請求項３又は請求項４に記載の端子台ユニットにおいて、前記サ−キットプロテクタの保護動作により作動する警報回路の動作出力に前記プリント基板の配線を介して接続された警報端子を有する警報用端子台を前記プリント基板に搭載したことを特徴とする端子台ユニット。
【発明の詳細な説明】
【技術分野】
【０００１】
この発明は、夫々対応電気機器を作動させる複数の駆動出力回路を有したコントロ−ラ及び前記各駆動出力回路とその対応電気機器との間に接続されたサ−キットプロテクタを備えた電気機器駆動制御盤及び当該電気機器駆動制御盤に使用される端子台ユニットに関するものである。
【背景技術】
【０００２】
従来、鉄鋼分野等の産業用の電気機器駆動制御盤においては、夫々対応する例えば電磁弁などの電気機器を作動させる複数の駆動出力回路を有したコントロ−ラ及び前記各駆動出力回路とその対応電気機器との間に接続された過電流スイッチ等の回路保護機能を有したサ−キットプロテクタを備えた構成が採用されており、一般的には、
１．各サ−キットプロテクタとコントロ−ラの各駆動出力回路との接続は、各サ−キット
プロテクタに接続された個別のコントロ−ラ側サ−キットプロテクタ用端子台と、コ
ントロ−ラの各駆動出力回路に接続された個別の駆動出力回路用端子台とを、リ−ド
線で夫々接続していた。
２．各サ−キットプロテクタと対応する各電気機器との接続は、各サ−キットプロテクタ
に接続された個別の電気機器側サ−キットプロテクタ用端子台と、各電気機器に接続
された個別の電気機器用端子台とを、リ−ド線で夫々接続していた。
【０００３】
このような構成の電気機器駆動制御盤においては、前述のように、各サ−キットプロテクタに接続された個別のコントロ−ラ側サ−キットプロテクタ用端子台と、コントロ−ラの各駆動出力回路に接続された個別の駆動出力回路用端子台とを、リ−ド線で夫々接続し、更に、各サ−キットプロテクタに接続された個別の電気機器側サ−キットプロテクタ用端子台と、各電気機器に接続された個別の電気機器用端子台とを、リ−ド線で夫々接続するので、電気機器の数が多い場合には、多大な配線作業を要すると共に、前記個別の各端子台や各サ−キットプロテクタが独立した表面形実装部品であり且つリ−ド線を使用するため、それらの占有面積が大きい。また、前記リ−ド線での接続作業は人手により行うので、リ−ド線の配線ミスや、リ−ド線の端子への締め付け不足による接続不良などを生起し易く、充分な品質を確保する点において難がある。
【０００４】
そこで、前述のようなリ−ド線による配線をなくし、製作工数を省き、保守点検が容易でコンパクトにするために、例えば、特開平９−１２１０９１号公報（特許文献１）に記載のように、各電気機器単位で、個別のラックに各モジュ−ルカ−ドを挿脱可能に収容し、各モジュ−ルカ−ドの各々の前面側端面に、個別に主回路用端子台及びサ−キットプロテクタを取り付けた電気機器駆動制御盤が提案されている。
【０００５】
【特許文献１】特開平９−１２１０９１号公報（図１〜４及びその説明）
【発明の開示】
【発明が解決しようとする課題】
【０００６】
前記特許文献１に記載のように、各電気機器単位で、個別のラックに各モジュ−ルカ−ドを挿脱可能に収容し、各モジュ−ルカ−ドの各々の前面側端面に、個別に主回路用端子台及びサ−キットプロテクタを取り付けた構成にすれば、各サ−キットプロテクタに接続された個別のコントロ−ラ側サ−キットプロテクタ用端子台と、コントロ−ラの各駆動出力回路に接続された個別の駆動出力回路用端子台とを、リ−ド線で夫々接続し、更に、各サ−キットプロテクタに接続された個別の電気機器側サ−キットプロテクタ用端子台と、各電気機器に接続された個別の電気機器用端子台とを、リ−ド線で夫々接続する場合に比べれば、コンパクトな構成になるが、コンパクト化は更に要求される。
【０００７】
この発明は、前述のような実情に鑑みてなされたもので、前述の特許文献１とは構成上の観点を変えて品質向上を図りしかも更なるコンパクト化を図ることを目的とするものである。
【課題を解決するための手段】
【０００８】
この発明に係る電気機器駆動制御盤は、
夫々対応電気機器を作動させる複数の駆動出力回路を有したコントロ−ラ、及び前記各駆動出力回路とその対応電気機器との間に接続されたサ−キットプロテクタを備えた電気機器駆動制御盤において、
前記電気機器に個別に接続される複数の端子を有した電気機器接続用端子台と、前記駆動出力回路の出力を受けるコントロ−ラ出力入力用コネクタと、前記電気機器接続用端子台を一側に前記コントロ−ラ出力入力用コネクタを他側に夫々搭載すると共に前記電気機器接続用端子台と前記コントロ−ラ出力入力用コネクタとの中間部に前記サ−キットプロテクタを搭載し前記電気機器接続用端子台と前記コントロ−ラ出力入力用コネクタとを前記サ−キットプロテクタを介して接続するプリント基板とを備えた端子台ユニットを設け、  前記駆動出力回路の出力を取り出すケ−ブルのコントロ−ラ出力出力用コネクタを前記端子台ユニットの前記コントロ−ラ出力入力用コネクタにプラグイン接続した
ものである。
【０００９】
また、この発明に係る端子台ユニットは、電気機器に個別に接続される複数の端子を有した電気機器接続用端子台、コントロ−ラの駆動出力回路の出力を受けるコントロ−ラ出力入力用コネクタ、及び前記電気機器接続用端子台を一側に前記コントロ−ラ出力入力用コネクタを他側に夫々搭載すると共に前記電気機器接続用端子台と前記コントロ−ラ出力入力用コネクタとの中間部にサ−キットプロテクタを搭載し前記電気機器接続用端子台と前記コントロ−ラ出力入力用コネクタとを前記サ−キットプロテクタを介して接続するプリント基板を備えたものである。
【発明の効果】
【００１０】
この発明は、夫々対応電気機器を作動させる複数の駆動出力回路を有したコントロ−ラ、及び前記各駆動出力回路とその対応電気機器との間に接続されたサ−キットプロテクタを備えた電気機器駆動制御盤において、前記電気機器に個別に接続される複数の端子を有した電気機器接続用端子台と、前記コントロ−ラの駆動出力回路の出力を受けるコントロ−ラ出力入力用コネクタと、前記電気機器接続用端子台を一側に前記コントロ−ラ出力入力用コネクタを他側に夫々搭載すると共に前記電気機器接続用端子台と前記コントロ−ラ出力入力用コネクタとの中間部に前記サ−キットプロテクタを搭載し前記電気機器接続用端子台と前記コントロ−ラ出力入力用コネクタとを前記サ−キットプロテクタを介して接続するプリント基板とを備えた端子台ユニットを設け、前記各駆動出力回路の出力を取り出すケ−ブルのコントロ−ラ出力出力用コネクタを前記端子台ユニットの前記コントロ−ラ出力入力用コネクタにプラグイン接続する構成としたので、前述の一般的な従来の電気機器駆動制御盤のように各サ−キットプロテクタに接続された個別のコントロ−ラ側サ−キットプロテクタ用端子台と、コントロ−ラの各駆動出力回路に接続された個別の駆動出力回路用端子台とを、リ−ド線で夫々接続し、更に、各過サ−キットプロテクタに接続された個別の電気機器側サ−キットプロテクタ用端子台と、各電気機器に接続された個別の電気機器用端子台とを、リ−ド線で夫々接続するようなことが不要であり、また、前述の特許文献１に記載のように各電気機器単位で、個別のラックに各モジュ−ルカ−ドを挿脱可能に収容し、各モジュ−ルカ−ドの各々の前面側端面に、個別に主回路用端子台及びサ−キットプロテクタを取り付けた構成に比べて構成が簡単になると共に、個別のラックが不要となり、占有面積も小さく更なるコンパクト化を図ることができる効果がある。
【発明を実施するための最良の形態】
【００１１】
実施の形態１．
以下この発明の実施の形態１を図１〜図４により説明する。図１は夫々対応電気機器を作動させる複数の駆動出力回路を有したコントロ−ラ及び前記各駆動出力回路とその対応電気機器との間に接続されたサ−キットプロテクタを備えた電気機器駆動制御盤及び当該電気機器駆動制御盤に使用される端子台ユニットの展開接続図、図２は図１における端子台ユニットの斜視図、図３は図２の端子台ユニットの分解図、図４は図３における各部品（サ−キットプロテクタ、他）搭載プリント基板の一部を拡大して示す部分拡大斜視図である。尚、各図中、同一符号は同一部分を示す。
【００１２】
図１において、電気機器駆動制御盤１は、プログラマブルコントロ−ラ等の第１のコントロ−ラ２１と、プログラマブルコントロ−ラ等の第２のコントロ−ラ２２と、これら第１のコントロ−ラ２１と第２のコントロ−ラ２２とに対応して共通に設けられら端子台ユニット３とを備えている。
【００１３】
前記第１のコントロ−ラ２１は、遠隔地の電磁弁などの多数の電気機器４１を前記端子台ユニット３を通して駆動制御するものである。前記第２のコントロ−ラ２２は、遠隔地の電磁弁などの多数の電気機器４２を前記端子台ユニット３を通して駆動制御するものである。
【００１４】
前記第１のコントロ−ラ２１は、前記多数の電気機器４１の各々に対応して設けられた多数の駆動出力回路２１１と、前記多数の電気機器４１の各々が所定の動作をするように前記多数の駆動出力回路２１１の各々を制御する制御機能部２１２とを備えている。前記第２のコントロ−ラ２２は、前記多数の電気機器４２の各々に対応して設けられた多数の駆動出力回路２２１と、前記多数の電気機器４１の各々が所定の動作をするように前記多数の駆動出力回路２２１の各々を制御する制御機能部２２２とを備えている。
【００１５】
前記電気機器４１，４２は、例えば電磁弁である場合には、動作することにより例えば油圧、空気圧、流量などを制御する。前記電気機器４１，４２は、電磁弁に限られるものではなく、産業に応じて例えば開閉弁を開閉動作させる電動機であったり、ポンプを駆動する電動機であったりする。また、前記多数の電気機器４１，４２のうち、或る電気機器は電磁弁、他の或る電気機器は電動機、更に他の電気機器は開閉器、等、異なる電気機器の場合もある。
【００１６】
前記端子台ユニット３は、所定の印刷配線３１１が施されたプリント基板３１と、前記多数の電気機器４１に個別に接続される多数の端子３２１を有する一連の第１の電気機器接続用端子台３２と、電源５に接続される電源接続用端子３３１を有する第１の電源用端子台３３と、前記第１のコントロ−ラ２１の多数の駆動出力回路２１１の出力を個別に受けるピン端子３４１を有する第１のコントロ−ラ出力入力用コネクタ３４と、前記多数の電気機器４１の各々に対応して前記第１の電気機器接続用端子台３２の各端子３２１と前記第１のコントロ−ラ出力入力用コネクタ３４の前記各ピン端子３４１との間および前記第１の電気機器接続用端子台３２の前記各端子３２１と前記第１の電源用端子台３３の端子３３１との間に前記印刷配線３１１を介して直列接続された多数の第１のサ−キットプロテクタ３５とを備えている。
【００１７】
前記端子台ユニット３は、また、前記多数の電気機器４２に個別に接続される多数の端子３６１を有する一連の第２の電気機器接続用端子台３６と、前記電源５に接続される電源接続用端子３７１を有する第２の電源用端子台３７と、前記第２のコントロ−ラ２２の多数の駆動出力回路２２１の出力を個別に受けるピン端子３８１を有する第２のコントロ−ラ出力入力用コネクタ３８と、前記多数の電気機器４２の各々に対応して前記第２の電気機器接続用端子台３６の前記各端子３６１と前記第２のコントロ−ラ出力入力用コネクタ３８の前記各ピン端子３８１との間および前記第２の電気機器接続用端子台３６の前記各端子３６１と前記第２の電源用端子台３７の端子３７１との間に前記印刷配線３１１を介して直列接続された多数の第２のサ−キットプロテクタ３９とを備えている。
【００１８】
換言すれば、前記端子台ユニット３は、単一の前記プリント基板３１を有し、当該単一の即ち共通の前記プリント基板３１上に、前記一連の第１の電気機器接続用端子台３２と、前記第１の電源用端子台３３と、前記第１のコントロ−ラ出力入力用コネクタ３４と、前記多数の第１のサ−キットプロテクタ３５と、前記一連の第２の電気機器接続用端子台３６と、前記第２の電源用端子台３７と、前記第２のコントロ−ラ出力入力用コネクタ３８と、前記多数の第２のサ−キットプロテクタ３９とが搭載されている。
【００１９】
前記プリント基板３１の印刷配線３１１と、前記端子台ユニット３の前記第１の電気機器接続用端子台３２の各端子３２１、前記第１の電源用端子台３３の各端子３３１、前記第１のコントロ−ラ出力入力用コネクタ３４の各ピン端子３４１、前記各サ−キットプロテクタ３５の各極の裏面側ピン端子３５１，３５２、前記第２の電気機器接続用端子台３６の各端子３６１、前記第２の電源用端子台３７の各端子３７１、前記第２のコントロ−ラ出力入力用コネクタ３８の各ピン端子３８１、および前記各サ−キットプロテクタ３９の各極の裏面側ピン端子３９１，３９２との接続は、例えば、前記電気機器接続用端子台３２，３６の各端子３２１，３６１の裏面側の接続ピン、前記電源用端子台３３，３７の各端子３３１，３７１の裏面側の接続ピン、前記コントロ−ラ出力入力用コネクタ３４，３８の各ピン端子３４１，３８１の裏面側の接続ピン、および前記各サ−キットプロテクタ３５，３９の各極の裏面側ピン端子３５１，３５２，３９１，３９２を、前記印刷配線３１１のスル−ホ−ルに挿入した状態で、自動半田付け装置により一斉に半田付けする等の手段により、容易に、短時間で、確実に行われる。
【００２０】
前記第１のコントロ−ラ２１と前記端子台ユニット３の第１のコントロ−ラ出力入力用コネクタ３４との接続は、一端が前記第１のコントロ−ラ２１の各駆動出力回路２１１に接続された専用ケ−ブル６１の他端のコネクタ（図示省略）を、前記第１のコントロ−ラ出力入力用コネクタ３４に、プラグイン（差し込み）接続することにより、容易に、短時間で、確実に行われる。なお、専用ケ−ブル６１の一端と前記第１のコントロ−ラ２１の各駆動出力回路２１１との接続も、コネクタによるプラグイン接続形式としてもよい。
【００２１】
前記第２のコントロ−ラ２２と前記端子台ユニット３の第２のコントロ−ラ出力入力用コネクタ３８との接続は、一端が前記第２のコントロ−ラ２２の各駆動出力回路２２１に接続された専用ケ−ブル６２の他端のコネクタ（図示省略）を、前記第２のコントロ−ラ出力入力用コネクタ３８に、プラグイン（差し込み）接続することにより、容易に、短時間で、確実に行われる。なお、専用ケ−ブル６２の一端と前記第２のコントロ−ラ２２の各駆動出力回路２２１との接続も、コネクタによるプラグイン接続形式としてもよい。
【００２２】
前記多数の電気機器４１の各々と前記端子台ユニット３の前記第１の電気機器接続用端子台３２の各端子３２１との接続は、電線７１により人手で行われる。
【００２３】
前記多数の電気機器４２の各々と前記端子台ユニット３の前記第２の電気機器接続用端子台３６の各端子３６１との接続は、電線７２により人手で行われる。
【００２４】
前記電源５と第１の電源用端子台３３の電源接続用端子３３１との接続は、電源接続線８１により人手で行われる。
【００２５】
前記電源５と第２の電源用端子台３７の電源接続用端子３７１との接続は、電源接続線８２により人手で行われる。
【００２６】
換言すれば、人手による配線作業は、前記電気機器４１，４２と前記端子台ユニット３の電気機器接続用端子台３２，３６の各端子３２１，３６１との間、および前記電源５と電源用端子台３３，３７の電源接続用端子３３１，３７１との間の最小限の範囲だけでよく、特に、駆動制御対象である電気機器の数が数十台など極めて多い産業用の電気機器駆動制御盤においては、人手による配線作業が極めて軽減されることにより、配線作業時間の短縮のみでなく、人手による配線作業による配線ミスや接続不良等の懸念が皆無に近くなり、品質が極めて向上する。
【００２７】
前記第１のコントロ−ラ２１に対応する前記電機機器４１への通電経路は、前記制御機能部２１２からの通電指令による前記駆動出力回路２１１の動作により、前記電源５が直流電源の場合は、当該直流電源５の＋電源線→前記電源接続線８１→前記第１の電源用端子台３３の前記電源接続用端子３３１→前記プリント基板３１の前記印刷配線３１１→前記過電流スイッチ３５→前記プリント基板３１の前記印刷配線３１１→前記第１の電気機器接続用端子台３２の前記端子３２１→前記電線７１→前記電機機器４１→前記電線７１→前記第１の電気機器接続用端子台３２の前記端子３２１→前記プリント基板３１の前記印刷配線３１１→前記サ−キットプロテクタ３５→前記プリント基板３１の前記印刷配線３１１→前記第１のコントロ−ラ出力入力用コネクタ３４の前記ピン端子３４１→前記専用ケ−ブル６１→前記駆動出力回路２１１→前記専用ケ−ブル６１→前記第１のコントロ−ラ出力入力用コネクタ３４の前記ピン端子３４１→前記プリント基板３１の前記印刷配線３１１→前記第１の電源用端子台３３の前記電源接続用端子３３１→前記電源接続線８１→前記直流電源５の−電源線となる。
【００２８】
前記第２のコントロ−ラ２２に対応する前記電機機器４２への通電経路は、前記制御機能部２２２からの通電指令による前記駆動出力回路２２１の動作により、前記電源５が直流電源の場合は、当該直流電源５の＋電源線→前記電源接続線８２→前記第２の電源用端子台３７の前記電源接続用端子３７１→前記プリント基板３１の前記印刷配線３１１→前記過電流スイッチ３９→前記プリント基板３１の前記印刷配線３１１→前記第２の電気機器接続用端子台３６の前記端子３６１→前記電線７２→前記電機機器４２→前記電線７２→前記第２の電気機器接続用端子台３６の前記端子３６１→前記プリント基板３１の前記印刷配線３１１→前記サ−キットプロテクタ３９→前記プリント基板３１の前記印刷配線３１１→前記第２のコントロ−ラ出力入力用コネクタ３８の前記ピン端子３８１→前記専用ケ−ブル６２→前記駆動出力回路２２１→前記専用ケ−ブル６２→前記第２のコントロ−ラ出力入力用コネクタ３８の前記ピン端子３８１→前記プリント基板３１の前記印刷配線３１１→前記第２の電源用端子台３７の前記電源接続用端子３７１→前記電源接続線８２→前記直流電源５の−電源線となる。
【００２９】
前述のように、前記第１のコントロ−ラ２１に対応する前記電機機器４１への前記通電経路および前記第２のコントロ−ラ２２に対応する前記電機機器４２への前記通電経路において、前記プリント基板３１は共用される。
【００３０】
なお、前記電源５として、交流電源が使用される場合もある。
【００３１】
また、通常は、前記電源５の電圧は２４Ｖや１００Ｖ等であり、前記第１のコントロ−ラ２１に対応する前記電機機器４１への前記通電経路および前記第２のコントロ−ラ２２に対応する前記電機機器４２への前記通電経路に流れる定常電流は１Ａ程度である。
【００３２】
また、前記電機機器４１，４２への前記各通電経路において、何らかの原因で地絡や短絡などの異常による過電流が流れる等の回路異常が発生すると、当該回路異常が発生している通電経路の前記サ−キットプロテクタ３５，３９がＯＦＦ作動等の保護動作をして当該回路異常が発生している通電経路を開く等の通電経路（回路）の保護を行う。前記サ−キットプロテクタ３５，３９は、バイメタルを使用した機械的スイッチが一般的であるが、半導体スイッチや非直線素子を使用してもよい。
【００３３】
次に、前述の図１の電気機器駆動制御盤１における前記端子台ユニット３の構造を図２〜図４により説明する。
【００３４】
図２〜図４において、直線状に並設された前記多数の端子３２１を有する一連の前記第１の電気機器接続用端子台３２と、並設された一対の前記電源接続用端子３３１を有する前記第１の電源用端子台３３と、前記第１のコントロ−ラ出力入力用コネクタ３４と、多数の前記第１のサ−キットプロテクタ３５と、直線状に並設された前記多数の端子３６１を有する一連の前記第２の電気機器接続用端子台３６と、並設された一対の前記電源接続用端子３７１を有する前記第２の電源用端子台３７と、前記第２のコントロ−ラ出力入力用コネクタ３８と、多数の前記第２のサ−キットプロテクタ３９とが、前記プリント基板３１の同一面上に搭載されている。
【００３５】
前記一連の第１の電気機器接続用端子台３２と前記一連の第２の電気機器接続用端子台３６とは、長手方向に直線状を成して、前記プリント基板３１の長手方向の一側に配設されている。
【００３６】
前記第１の電源用端子台３３と前記第１のコントロ−ラ出力入力用コネクタ３４と前記第２の電源用端子台３７と前記第２のコントロ−ラ出力入力用コネクタ３８とは、前記プリント基板３１の長手方向の他側に、所定の間隔を隔てて直線状に配設されている。
【００３７】
前記第１のサ−キットプロテクタ３５と前記第２のサ−キットプロテクタ３９とは、前記直線状をなす前記第１及び第２の電気機器接続用端子台３２，３６と、前記直線状に配設された前記第１及び第２の電源用端子台３３，３７及び前記第１及び第２のコントロ−ラ出力入力用コネクタ３４，３８との中間部に配設されている。
【００３８】
また、前記第１のサ−キットプロテクタ３５及び前記第２のサ−キットプロテクタ３９は、前記直線状を成す第１の電気機器接続用端子台３２及び第２の電気機器接続用端子台３６に沿って当該第１の電気機器接続用端子台３２の対応端子３２１及び第２の電気機器接続用端子台３６の対応端子３６１に対応して、所定の間隔を隔てて並設されている。
【００３９】
前記プリント基板３１には、その四隅と略中央部に貫通孔（図示省略）が設けてあり、当該各貫通孔毎に、下部スペ−サ兼取付凹凸螺子312aの凸螺子と上部スペ−サ兼取付凹凹螺子312bの凹螺子とを対応貫通孔を介して螺着することにより、当該下部スペ−サ兼取付凹凸螺子312aと上部スペ−サ兼取付凹凹螺子312bとで前記プリント基板３１を挟圧し、その結果、当該下部スペ−サ兼取付凹凸螺子312aおよび上部スペ−サ兼取付凹凹螺子312bが、前記プリント基板３１の四隅と略中央部に装着されている。
【００４０】
前記プリント基板３１の下側には、底板３１３が配設されており、当該底板３１３は、その四隅と略中央部に設けられた貫通孔313aを螺子部が貫通する皿螺子313bの当該螺子部を、前記各下部スペ−サ兼取付凹凸螺子312aの凹螺子に螺着することにより、前記プリント基板３１の下側に着脱可能に装着されている。
【００４１】
前記プリント基板３１と前記底板３１３との間隔は、前記四隅と略中央部の下部スペ−サ兼取付凹凸螺子312aにより、所定間隔に維持されている。また、前記底板３１３は、その四隅付近に突設された耳部の各々に設けられた貫通長孔313cを通る取付螺子（図示省略）により、前記端子台ユニット３を内蔵する電気機器駆動制御盤１の取付パネル等に着脱可能に装着される。
【００４２】
前記プリント基板３１の上側には、箱型の上部カバ−３１４が配設されており、当該上部カバ−３１４は、その四隅と略中央部に設けられた貫通孔314aを螺子部が貫通する皿螺子314bの当該螺子部を、前記各上部スペ−サ兼取付凹凹螺子312bの凹螺子に螺着することにより、前記プリント基板３１の上側に、着脱可能に装着されている。前記プリント基板３１と前記上部カバ−３１４との間隔は、前記四隅と略中央部の各上部スペ−サ兼取付凹凹螺子312bにより、所定間隔に維持されている。
【００４３】
前記上部カバ−３１４には、第１の電気機器接続用端子台窓314dと、第１の電源用端子台窓314eと、第１のコントロ−ラ出力入力用コネクタ窓314fと、第１のサ−キットプロテクタ窓314gと、第２の電気機器接続用端子台窓314hと、第２の電源用端子台窓314iと、第２のコントロ−ラ出力入力用コネクタ窓314jと、第２のサ−キットプロテクタ窓314kとが設けられている。なお、前記第１の電気機器接続用端子台窓314dと前記第２の電気機器接続用端子台窓314hとは一連の窓となっている。
【００４４】
前記第１の電気機器接続用端子台窓314dからは前記第１の電気機器接続用端子台３２の外側部が、前記第１の電源用端子台窓314eからは前記第１の電源用端子台３３の外側部が、第１のコントロ−ラ出力入力用コネクタ窓314fからは前記第１のコントロ−ラ出力入力用コネクタ３４の外側部が、前記第２の電気機器接続用端子台窓314hからは前記第２の電気機器接続用端子台３６の外側部が、前記第２の電源用端子台窓314iからは前記第２の電源用端子台３７の外側部が、前記第２のコントロ−ラ出力入力用コネクタ窓314jからは前記第２のコントロ−ラ出力入力用コネクタ３８の外側部が、図２に示すように、前記上部カバ−３１４外に突出している。
【００４５】
従って、前記プリント基板３１に前記上部カバ−３１４を装着した状態で、前記多数の電気機器４１の各々と前記第１の電気機器接続用端子台３２の前記各端子３２１との前記電線７１による接続、前記多数の電気機器４２の各々と前記第２の電気機器接続用端子台３６の前記各端子３６１との前記電線７２による接続、前記電源５と前記第１の電源用端子台３３の前記電源接続用端子３３１との前記電源接続線８１による接続、および前記電源５と第２の電源用端子台３７の前記電源接続用端子３７１との前記電源接続線８２による接続が、夫々行われる。
【００４６】
前記サ−キットプロテクタ３５，３９の各々は、動作時にそれらの動作表示突起３５３，３９３がサ−キットプロテクタ外箱から突出するが、サ−キットプロテクタ誤操作防止対策として、それら動作表示突起３５３，３９３も対応する前記第１のサ−キットプロテクタ窓314g及び前記第２のサ−キットプロテクタ窓314kから前記上部カバ−３１４外に突出しないように、前記上部カバ−３１４より前記プリント基板３１寄りに配設してある。なお、前記サ−キットプロテクタ３５，３９の各々が動作しているかどうかの確認は、対応する前記第１のサ−キットプロテクタ窓314g及び前記第２のサ−キットプロテクタ窓314kを通して前記上部カバ−３１４外から目視により行える。
【００４７】
前記端子台ユニット３の組み立て順序は、前記各部品（前記第１の電気機器接続用端子台３２、前記第１の電源用端子台３３、前記第１のコントロ−ラ出力入力用コネクタ３４、前記第１のサ−キットプロテクタ３５、前記第２の電気機器接続用端子台３６、前記第２の電源用端子台３７、前記第２のコントロ−ラ出力入力用コネクタ３８、前記第２のサ−キットプロテクタ３９）を搭載した前記プリント基板３１を、先ず前記底板３１３に装着した後、前記上部カバ−３１４を前記プリント基板３１に装着する。組み立てられた前記端子台ユニット３は、前記底板３１３の貫通長孔313cを通る取付螺子（図示省略）により、前記端子台ユニット３を内蔵する電気機器駆動制御盤１の取付パネル等に着脱可能に装着される。
【００４８】
この発明の実施の形態１における電気機器駆動制御盤１は、前述のように、夫々対応電気機器４１，４２を作動させる複数の駆動出力回路２１１，２２１を有したコントロ−ラ２１，２２、及び前記各駆動出力回路２１１，２２１とその対応電気機器４１，４２との間に接続されたサ−キットプロテクタ３５，３９を備えた電気機器駆動制御盤１において、前記電気機器４１，４２に個別に接続される複数の端子３２１，３６１を有した電気機器接続用端子台３２，３６と、前記各駆動出力回路２１１，２２１の出力を受けるコントロ−ラ出力入力用コネクタ３４，３８と、前記電気機器接続用端子台３２，３６を一側に前記コントロ−ラ出力入力用コネクタ３４，３８及び前記電源用端子台３３，３７を他側に夫々搭載すると共に前記電気機器接続用端子台３２，３６と前記コントロ−ラ出力入力用コネクタ３４，３８との中間部に前記サ−キットプロテクタ３５，３９を搭載し前記電気機器接続用端子台３２，３６と前記コントロ−ラ出力入力用コネクタ３５，３９とを前記サ−キットプロテクタ３５，３９を介して接続するプリント基板３１とを備えた端子台ユニット３を設け、前記各駆動出力回路の出力を取り出すケ−ブル６１のコントロ−ラ出力出力用コネクタ（図示省略）を前記端子台ユニット３の前記コントロ−ラ出力入力用コネクタ３４，３８にプラグイン接続するようにしたので、前述の一般的な従来の電気機器駆動制御盤のように各サ−キットプロテクタに接続された個別のコントロ−ラ側サ−キットプロテクタ用端子台と、コントロ−ラの各駆動出力回路に接続された個別の駆動出力回路用端子台とを、リ−ド線で夫々接続し、更に、各過サ−キットプロテクタに接続された個別の電気機器側サ−キットプロテクタ用端子台と、各電気機器に接続された個別の電気機器用端子台とを、リ−ド線で夫々接続するようなことが不要であり、また、前述の特許文献１に記載のように各電気機器単位で、個別のラックに各モジュ−ルカ−ドを挿脱可能に収容し、各モジュ−ルカ−ドの各々の前面側端面に、個別に主回路用端子台及びサ−キットプロテクタを取り付けた構成に比べて構成が簡単になると共に、個別のラックが不要となり、占有面積も小さく更なるコンパクト化を図ることができる。
【００４９】
また、この発明の実施の形態１における電気機器駆動制御盤１は、前述のように、電源５が接続される電源接続用端子３３１，３７１を有する電源用端子台３３，３７を前記プリント基板３１に搭載し、前記電源接続用端子３３１，３７１に接続の前記電源５から前記プリント基板３１の配線３１１及び前記コントロ−ラ出力入力用コネクタ３４，３８を介して前記コントロ−ラ２１，２２の前記各駆動出力回路２１１，２２１に給電すると共に前記プリント基板３１の配線３１１及び前記サ−キットプロテクタ３５，３９を介して前記電気機器接続用端子台３２，３６の前記各端子３２１，３６１を経由して前記各電気機器４１，４２に給電するようにしたので、コントロ−ラ２１，２２の電源を端子台ユニット３から取ることができる。
【００５０】
また、この発明の実施の形態１における端子台ユニット３は、電気機器４１，４２に個別に接続される複数の端子３２１，３６１を有した電気機器接続用端子台３２，３６、コントロ−ラ２１，２２の各駆動出力回路２１１，２２１の出力を受けるコントロ−ラ出力入力用コネクタ３４，３８、及び前記電気機器接続用端子台３２，３６を一側に前記コントロ−ラ出力入力用コネクタ３４，３８を他側に夫々搭載すると共に前記電気機器接続用端子台３２，３６と前記コントロ−ラ出力入力用コネクタ３４，３８との中間部にサ−キットプロテクタ３５，３９を搭載し前記電気機器接続用端子台３２，３６と前記コントロ−ラ出力入力用コネクタ３４，３８とを前記サ−キットプロテクタ３５，３９を介して接続するプリント基板３１を備えた構成としてあるので、かかる端子台ユニット３を電気機器駆動制御盤１の端子台として採用すれば、前述の一般的な従来の電気機器駆動制御盤のように各サ−キットプロテクタに接続された個別のコントロ−ラ側サ−キットプロテクタ用端子台と、コントロ−ラの各駆動出力回路に接続された個別の駆動出力回路用端子台とを、リ−ド線で夫々接続し、更に、各過サ−キットプロテクタに接続された個別の電気機器側サ−キットプロテクタ用端子台と、各電気機器に接続された個別の電気機器用端子台とを、リ−ド線で夫々接続するようなことが不要となり、また、前述の特許文献１に記載のように各電気機器単位で、個別のラックに各モジュ−ルカ−ドを挿脱可能に収容し、各モジュ−ルカ−ドの各々の前面側端面に、個別に主回路用端子台及びサ−キットプロテクタを取り付けた構成に比べて構成が簡単になると共に、個別のラックが不要となり、占有面積も小さく更なるコンパクト化を図ることが可能となる。
【００５１】
また、この発明の実施の形態１における端子台ユニット３は、電源５が接続される電源接続用端子３３１，３７１を有する電源用端子台３３，３７を前記プリント基板３１に搭載し、前記電源接続用端子３３１，３７１に接続の前記電源５から前記プリント基板３１の配線３１１及び前記コントロ−ラ出力入力用コネクタ３４，３８を介して前記コントロ−ラ２１，２２の前記各駆動出力回路２１１，２２１に給電すると共に前記プリント基板３１の配線３１１及び前記サ−キットプロテクタ３５，３９を介して前記電気機器接続用端子台３２，３６の前記各端子３２１，３６１を経由して各電気機器４１，４２に給電するようにしてあるので、かかる端子台ユニット３を電気機器駆動制御盤１の端子台として採用すれば、電気機器駆動制御盤１におけるコントロ−ラ２１，２２の電源を端子台ユニット３から取ることが可能となる。
【００５２】
実施の形態２．
以下、この発明の実施の形態２を図５及び図６により説明する。図５は端子台ユニットの斜視図、図６は図５における各部品（サ−キットプロテクタ、他）搭載プリント基板の一部を拡大して示す部分拡大斜視図である。尚、図５及び図６において、図１〜図４と同一又は相当部分には同一符号を付してある。また、この発明の実施の形態２の説明は、前述のこの発明の実施の形態１と異なる点を主体に説明する。
【００５３】
この発明の実施の形態２は、図５及び図６に示すように、前記プリント基板３１の配線３１１に接続され対応する前記サ−キットプロテクタ３５，３９の動作状態を表示する表示器３０１，３０２を、前記プリント基板３１の、前記サ−キットプロテクタ３５，３９の搭載面と同じ面上に搭載した事例である。
【００５４】
具体的には、前記表示器３０１，３０２は、構造上の構成の観点では、対応する前記サ−キットプロテクタ３５，３９と前記電気機器接続用端子台３２，３６との中間部に配設され、また、回路上の構成の観点では、対応する前記サ−キットプロテクタ３５，３９に例えば直列に接続されている。
【００５５】
前記表示器３０１，３０２は、例えばランプや発光ダイオ−ド等を使用したものであり、例えば、前記対応サ−キットプロテクタ３５，３９がＯＮの状態の時に点灯し、前記対応サ−キットプロテクタ３５，３９がＯＦＦの状態の時に消灯する。
【００５６】
前記端子台ユニット３の前記上部カバ−３１４には、前記表示器３０１，３０２の各々に個別に対応して設けられた表示器窓314m，314nが設けられており、前記各表示器３０１，３０２の点灯／消灯の状態の確認は、対応表示器窓314m，314nを通して目視により行われる。
【００５７】
前記対応サ−キットプロテクタ３５，３９の動作確認は、それらの動作表示突起３５３，３９３（図４参照）の突出／否突出の状態でも確認できるが、前記表示器３０１，３０２に依る方が確認が容易である。また、前記対応サ−キットプロテクタ３５，３９の動作状態を、前記表示器３０１，３０２により容易に確認した後に、前記動作表示突起３５３，３９３（図４参照）の突出／否突出の状態を確認するといった二重確認もでき、サ−キットプロテクタ３５，３９の動作確認を確実に行える。
【００５８】
実施の形態３．
以下、この発明の実施の形態３を図７及び図８により説明する。図７は端子台ユニットの斜視図、図８は図７における各部品（サ−キットプロテクタ、他）搭載プリント基板の一部を拡大して示す部分拡大斜視図である。尚、図７及び図８において、図１〜図４と同一又は相当部分には同一符号を付してある。また、この発明の実施の形態３の説明は、前述のこの発明の実施の形態１と異なる点を主体に説明する。
【００５９】
この発明の実施の形態３は、図５及び図６に示すように、前記プリント基板３１の配線３１１に前記サ−キットプロテクタ３５，３９と直列に接続されたＯＮ−ＯＦＦ切換スイッチ３０３，３０４を、前記プリント基板３１の、前記サ−キットプロテクタ３５，３９の搭載面と同じ面上に搭載した事例である。
【００６０】
具体的には、前記ＯＮ−ＯＦＦ切換スイッチ３０３，３０４は、構造上の構成の観点では、対応する前記サ−キットプロテクタ３５，３９と前記電気機器接続用端子台３２，３６との中間部に配設されている。
【００６１】
前記端子台ユニット３の前記上部カバ−３１４には、前記ＯＮ−ＯＦＦ切換スイッチ３０３，３０４の各々に個別に対応して設けられたＯＮ−ＯＦＦ切換スイッチ窓314p，314qが設けられており、前記対応ＯＮ−ＯＦＦ切換スイッチ窓314p，314qから露出している前記各ＯＮ−ＯＦＦ切換スイッチ３０３，３０４の操作子をＯＮ−ＯＦＦ操作するようにしてある。
【００６２】
一般的に、前記サ−キットプロテクタ３５，３９は通常はＯＮ状態にあり、過電流によるトリップでのＯＦＦ動作のみを行い、外部から強制的にＯＦＦ操作することはできないので、例えば、試験時や制御盤敷設工事時点で駆動制御対象電気機器への駆動制御回路を強制的に遮断したい場合等、前記対応ＯＮ−ＯＦＦ切換スイッチ窓314p，314qから露出している前記各ＯＮ−ＯＦＦ切換スイッチ３０３，３０４の操作子を任意に人手で操作することにより、当該遮断が可能となる。
【００６３】
また、前記ＯＮ−ＯＦＦ切換スイッチ３０３，３０４を設けることにより、当該ＯＮ−ＯＦＦ切換スイッチ３０３，３０４を設けない場合に必要であった、例えば、試験時や制御盤敷設工事時点で駆動制御対象電気機器への駆動制御回路を強制的に遮断したい場合における電線７１，７２（図１参照）の脱着作業や、断路端子台の別途設置、等も不要となる。
【００６４】
実施の形態４．
以下、この発明の実施の形態４を図９により説明する。図９は端子台ユニットの斜視図である。尚、図９において、図１〜図４と同一又は相当部分には同一符号を付してある。また、この発明の実施の形態４の説明は、前述のこの発明の実施の形態１と異なる点を主体に説明する。
【００６５】
この発明の実施の形態４は、図９に示すように、前記第１及び第２の電気機器接続用端子台３２，３６を２段式端子台とし、前記プリント基板３１の板面と直角を成す方向の高さを、１段目の第１の電気機器接続用端子台３２より２段目の第２の電気機器接続用端子台３６の方を高くしてある。
【００６６】
前記２段式の第１及び第２の電気機器接続用端子台３２，３６は、図１〜図８と同様に、各々に接続される前記電線７１，７２（図１参照）が前記第１及び第２のコントロ−ラ出力入力用コネクタ３４，３８と反対側に延在するように、外向きに配設されている。
【００６７】
また、前記２段式の第１及び第２の電気機器接続用端子台３２，３６は、図９から分かるように、各々の前記プリント基板３１の板面と直角を成す方向の高さは、各々に接続される前記各電線７１，７２（図１参照）及びその端子（図示省略）が相互に接触しない程度にしてある。
【００６８】
前述のように、第１及び第２の電気機器接続用端子台３２，３６を２段式端子台とし、前記プリント基板３１の板面と直角を成す方向の高さを、１段目の第１の電気機器接続用端子台３２より２段目の第２の電気機器接続用端子台３６の方を高くすれば、図９から分かるように、前述の図１〜図８に比べ、前記端子台ユニット３の長さが半分近くに短くなり、前記電気機器駆動制御盤１（図１参照）における前記端子台ユニット３の占有面積が、前述の図１〜図８に比べ、更に小さくなり、しかも、前記１段目の第１の電気機器接続用端子台３２に接続される前記電線７１の延在方向と前記２段目の第２の電気機器接続用端子台３６に接続される前記電線７２とを同一方向とすることができ、前記電気機器駆動制御盤１における前記各電線７１，７２の平面的な占有面積が小さくなり、前記端子台ユニット３の占有面積の縮小化と相俟って、前記端子台ユニット３周りの前記電気機器駆動制御盤１における占有面積を、従前のものに比べ格段に小さくできる。
【００６９】
実施の形態５．
以下、この発明の実施の形態５を図１０により説明する。図１０は端子台ユニットの斜視図である。尚、図１０において、図１〜図４と同一又は相当部分には同一符号を付してある。また、この発明の実施の形態５の説明は、前述のこの発明の実施の形態１と異なる点を主体に説明する。
【００７０】
この発明の実施の形態５は、図１０に示すように、前記サ−キットプロテクタ３５，３９の保護動作により作動する警報回路の動作出力に前記プリント基板３１の配線を介して接続された警報端子3051を有する警報用端子台３０５を前記プリント基板３１に搭載してある。
【００７１】
前記サ−キットプロテクタ３５，３９を、警報回路付のサ−キットプロテクタとし、警報接点の動作出力を前記警報用端子台３０５の警報端子3051から外部に出力するようにすることによって、離れた場所でモニタリングが行え、接点が落ちた場所の監視ができ、トリップしたサ−キットプロテクタの確認及び復旧を容易に行える。
【００７２】
なお、必要に応じて、前述のこの発明の実施の形態１に、前述のこの発明の実施の形態２〜５の少なくとも一つとを組み合わせれば、当該組み合わせられたこの発明の実施の形態の各々の前記機能を複合した複合機能を呈する。
【図面の簡単な説明】
【００７３】
【図１】この発明の実施の形態１を示す図で、夫々対応電気機器を作動させる複数の駆動出力回路を有したコントロ−ラ及び前記各駆動出力回路とその対応電気機器との間に接続されたサ−キットプロテクタを備えた電気機器駆動制御盤及び当該電気機器駆動制御盤に使用される端子台ユニットの展開接続図である。
【図２】この発明の実施の形態１を示す図で、図１における端子台ユニットの斜視図である。
【図３】この発明の実施の形態１を示す図で、図２に示す端子台ユニットの分解図である。
【図４】この発明の実施の形態１を示す図で、図３における各部品（サ−キットプロテクタ、他）搭載プリント基板の一部を拡大して示す部分拡大斜視図である。
【図５】この発明の実施の形態２を示す図で、端子台ユニットの斜視図である。
【図６】この発明の実施の形態２を示す図で、図５における各部品（サ−キットプロテクタ、他）搭載プリント基板の一部を拡大して示す部分拡大斜視図である。
【図７】この発明の実施の形態３を示す図で、端子台ユニットの斜視図である。
【図８】この発明の実施の形態３を示す図で、図７における各部品（サ−キットプロテクタ、他）搭載プリント基板の一部を拡大して示す部分拡大斜視図である。
【図９】この発明の実施の形態４を示す図で、端子台ユニットの斜視図である。
【図１０】この発明の実施の形態５を示す図で、端子台ユニットの斜視図である。
【符号の説明】
【００７４】
１    電気機器駆動制御盤、
２１    第１のコントロ−ラ、
２１１    多数の駆動出力回路、
２２    第２のコントロ−ラ、
２２１    多数の駆動出力回路、
２２２    制御機能部、
３    端子台ユニット、
３０１    表示器、
３０２    表示器、
３０３    ＯＮ−ＯＦＦ切換スイッチ、
３０４    ＯＮ−ＯＦＦ切換スイッチ、
３０５    警報用端子台、
3051    警報端子、
３１    プリント基板、
３１１    印刷配線、
312a    下部スペ−サ兼取付凹凸螺子、
312b    上部スペ−サ兼取付凹凹螺子、
３１３    底板、
313a    貫通孔、
313b    皿螺子、
313c    貫通長孔、
３１４    上部カバ−、
314a    貫通孔、
314b    皿螺子、
314d    第１の電気機器接続用端子台窓、
314e    第１の電源用端子台窓、
314f    第１のコントロ−ラ出力入力用コネクタ窓、
314g    第１のサ−キットプロテクタ窓、
314h    第２の電気機器接続用端子台窓、
314i    第２の電源用端子台窓、
314j    第２のコントロ−ラ出力入力用コネクタ窓、
314k    第２のサ−キットプロテクタ窓、
314m    表示器窓、
314n    表示器窓、
314p    ＯＮ−ＯＦＦ切換スイッチ窓、
314q    ＯＮ−ＯＦＦ切換スイッチ窓、
３２    第１の電気機器接続用端子台、
３２１    多数の端子、
３３    第１の電源用端子台、
３３１    電源接続用端子、
３４    第１のコントロ−ラ出力入力用コネクタ、
３４１    ピン端子、
３５    第１のサ−キットプロテクタ、
３５１    裏面側ピン端子、
３５２    裏面側ピン端子、
３５３    動作表示突起、
３６    第２の電気機器接続用端子台、
３６１    多数の端子、
３７    第２の電源用端子台、
３７１    電源接続用端子、
３８    第２のコントロ−ラ出力入力用コネクタ、
３８１    ピン端子、
３９    第２のサ−キットプロテクタ、
３９１    裏面側ピン端子、
３９２    裏面側ピン端子、
３９３    動作表示突起、
４１    電機機器、
４２    電機機器、
５    電源、
６１    専用ケ−ブル、
６２    専用ケ−ブル、
７１    電線、
７２    電線、
８１    電源接続線、
８２    電源接続線。
【図１】
2005243263.tif 000003
【図２】
2005243263.tif 000004
【図３】
2005243263.tif 000005
【図４】
2005243263.tif 000006
【図５】
2005243263.tif 000007
【図６】
2005243263.tif 000008
【図７】
2005243263.tif 000009
【図８】
2005243263.tif 000010
【図９】
2005243263.tif 000011
【図１０】
2005243263.tif 000012